(57)【要約】  【課題】  リモコン装置が置かれている場所に関係なく、リモコン装置の送信モードを複合型記録再生装置の動作モードに対応したモードに常に切り換えることができる機能を有する遠隔操作システムを提供する。  【解決手段】  複合型記録再生装置１０の現在の動作モードが、例えばＶＣＲモードであれば、操作対象報知信号出力手段１４２はＶＣＲ操作対象報知信号をＡＭ波送信部１７に出力し、ＡＭ波送信部１７はＶＣＲ操作対象報知信号をＡＭ波に乗せて送信する。リモコン装置２０では、送信されたＡＭ波をＡＭ受信部２４で受信し、送信モード設定手段２１１は、受信したＡＭ波からＶＣＲ操作対象報知信号を取り出して、そのＶＣＲ操作対象報知信号に対応する送信モードにリモコン自体を設定する。【選択図】      図１
2007006347.tif 000002
【特許請求の範囲】
【請求項１】
異なる機能を有する電子機器が少なくとも２つ組み込まれた複合型電子装置の所望の電
子機器をリモコン装置により遠隔操作する遠隔操作システムであって、
前記複合型電子装置において現在どの電子機器が動作モードになっているかを検知する
動作モード電子機器検知手段と、前記動作モードになっていることを検知された電子機器
が操作対象であることを前記リモコン装置に知らせるための操作対象報知信号を出力する
操作対象報知信号出力手段と、前記出力された操作対象報知信号をＡＭ波に乗せて送信す
るＡＭ波送信手段とを、前記複合型電子装置に設け、
前記ＡＭ波送信手段からのＡＭ波を受信するＡＭ波受信手段と、前記受信したＡＭ波か
ら操作対象報知信号を取り出して当該操作対象報知信号に対応する送信モードが現在の送
信モードと異なる場合に、前記現在の送信モードを前記当該操作対象報知信号に対応する
送信モードに切り換えることにより、前記当該操作対象報知信号に対応する送信モードに
リモコン自体を設定する送信モード設定手段とを、前記リモコン装置に設けたことを特徴
とする遠隔操作システム。
【請求項２】
異なる機能を有する電子機器が少なくとも２つ組み込まれた複合型電子装置の所望の電
子機器をリモコン装置により遠隔操作する遠隔操作システムであって、
前記複合型電子装置において現在動作モードになっている電子機器が操作対象であるこ
とを前記リモコン装置に知らせるための操作対象報知信号を出力する操作対象報知信号出
力手段と、前記出力された操作対象報知信号をＡＭ波に乗せて送信するＡＭ波送信手段と
を、前記複合型電子装置に設け、
前記ＡＭ波送信手段からのＡＭ波を受信するＡＭ波受信手段と、前記受信したＡＭ波か
ら操作対象報知信号を取り出して当該操作対象報知信号に対応する送信モードにリモコン
自体を設定する送信モード設定手段とを、前記リモコン装置に設けたことを特徴とする遠
隔操作システム。
【請求項３】
前記操作対象報知信号出力手段は、複合型電子装置において現在どの電子機器が動作モ
ードになっているかを検知する動作モード電子機器検知手段により、前記動作モードにな
っていることを検知された電子機器が操作対象であることを前記リモコン装置に知らせる
ための操作対象報知信号を出力することを特徴とする請求項２に記載の遠隔操作システム
。
【請求項４】
前記送信モード設定手段は、受信したＡＭ波から操作対象報知信号を取り出して当該操
作対象報知信号に対応する送信モードが現在の送信モードと異なる場合に、前記現在の送
信モードを前記当該操作対象報知信号に対応する送信モードに切り換えることにより、前
記当該操作対象報知信号に対応する送信モードにリモコン自体を設定することを特徴とす
る請求項２に記載の遠隔操作システム。
【発明の詳細な説明】
【技術分野】
【０００１】
本発明は、異なる機能を有する電子機器が少なくとも２つ組み込まれた複合型電子装置
の所望の電子機器をリモコン装置により遠隔操作する遠隔操作システムに関し、特に、複
合型電子装置の所望の電子機器の遠隔操作を可能にする遠隔操作システムに関する。
【背景技術】
【０００２】
一般に、複合型電子装置の動作モードは、リモコン装置により選択されるようになって
いて、リモコン装置に設けれているモード選択キーの操作により、複合型電子装置の動作
モードが選択されたとき、リモコン装置の送信モードが、その選択された複合型電子装置
の動作モードに対応した動作モードに設定されるようになっている。
【０００３】
しかし、複合型電子装置の動作モードは、複合型電子装置の操作パネルに設けられたモ
ード選択キーの操作によっても選択することができるようになっていて、そのモード選択
キーの操作により、複合型電子装置の動作モードが切り換えられた場合、リモコン装置の
送信モードが複合型電子装置の動作モードと一致しなくなり、リモコン装置の操作キーの
操作により、複合型電子装置内の所望の電子機器を動作させることができなくなる。
【０００４】
そこで、特許文献１の従来技術では、複合ＡＶ機器（複合型電子装置）の動作モードが
切り換えられたとき、複合ＡＶ機器を遠隔操作するリモコン装置の送信モードを複合ＡＶ
機器の動作モードに対応したモードに自動的に切り換えるようにしている。
【特許文献１】実登３０９２３７２号公報
【特許文献２】特開２００５−７３１９６号公報
【発明の開示】
【発明が解決しようとする課題】
【０００５】
即ち、この従来技術では、複合ＡＶ機器の動作モードを切り換えたとき、切り換えられ
た複合ＡＶ機器の動作モードのコード信号をリモコン装置に送信して、リモコン装置の送
信モードを複合ＡＶ機器の動作モードに対応したモードに切り換えるようにしている。し
かしながら、複合ＡＶ機器から送信される動作モードのコード信号は赤外線信号であるの
で、リモコン装置が置かれている場所によっては、複合ＡＶ機器からの赤外線信号がリモ
コン装置に届かないことがあり、このような場合には、リモコン装置では送信モードが切
り換えられないので、所望のＡＶ機器を動作させることができないという課題が生じる。
【０００６】
なお、特許文献２の従来技術は、リモコン装置からの赤外線信号による複合電子装置の
出力モード切換信号にて、その出力モードをＶＣＲ装置またはＤＶＤ装置に切り換えるも
のであり、複合電子装置（複合型電子装置）からの信号によりリモコン装置の送信モード
を切り換えるようにしたものではない。
【０００７】
本発明は、上記のような課題を解決するためになされたもので、異なる機能を有する電
子機器が少なくとも２つ組み込まれた複合型電子装置の所望の電子機器をリモコン装置に
より遠隔操作する遠隔操作システムにおいて、リモコン装置が置かれている場所に関係な
く、リモコン装置の送信モードを複合型電子装置の動作モードに対応したモードに常に切
り換えることができる機能を有する遠隔操作システムを提供することを目的とする。
【課題を解決するための手段】
【０００８】
上記目的を達成するために、請求項１の発明は、異なる機能を有する電子機器が少なく
とも２つ組み込まれた複合型電子装置の所望の電子機器をリモコン装置により遠隔操作す
る遠隔操作システムであって、前記複合型電子装置において現在どの電子機器が動作モー
ドになっているかを検知する動作モード電子機器検知手段と、前記動作モードになってい
ることを検知された電子機器が操作対象であることを前記リモコン装置に知らせるための
操作対象報知信号を出力する操作対象報知信号出力手段と、前記出力された操作対象報知
信号をＡＭ波に乗せて送信するＡＭ波送信手段とを、前記複合型電子装置に設け、前記Ａ
Ｍ波送信手段からのＡＭ波を受信するＡＭ波受信手段と、前記受信したＡＭ波から操作対
象報知信号を取り出して当該操作対象報知信号に対応する送信モードが現在の送信モード
と異なる場合に、前記現在の送信モードを前記当該操作対象報知信号に対応する送信モー
ドに切り換えることにより、前記当該操作対象報知信号に対応する送信モードにリモコン
自体を設定する送信モード設定手段とを、前記リモコン装置に設けたことを特徴とする遠
隔操作システムを提供する。
【０００９】
この構成において、動作モード電子機器検知手段は、複合型記録再生装置の現在の動作
モードが例えばＶＣＲモードであるか否かを判定する。そして、ＶＣＲモードであれば、
操作対象報知信号出力手段は、ＶＣＲ操作対象報知信号をＡＭ波送信手段に出力する。こ
れにより、ＡＭ波送信手段は、ＶＣＲ操作対象報知信号をＡＭ波に乗せて送信する。
【００１０】
一方、リモコン装置では、複合型記録再生装置のＡＭ波送信手段から送信されたＡＭ波
をＡＭ受信手段で受信し、送信モード設定手段は、前記受信したＡＭ波からＶＣＲ操作対
象報知信号を取り出して、そのＶＣＲ操作対象報知信号に対応する送信モードにリモコン
自体を設定する。即ち、送信モード設定手段は、リモコン装置の送信モードが例えばＶＣ
Ｒ送信モードではなく、ＤＶＤ送信モードに設定されていると判定した場合には、ＤＶＤ
送信モードからＶＣＲ送信モードに切り換える。
【００１１】
この構成によれば、複合型電子装置は、操作対象報知信号をＡＭ波に乗せてリモコン装
置に送信するので、リモコン装置が置かれている場所に関係なく、操作対象報知信号はリ
モコン装置に届き、これにより、リモコン装置の送信モードを複合型電子装置の動作モー
ドに対応したモードに常に切り換えることができて、リモコン装置は複合型電子装置に常
に連動し、ユーザが「リモコンが利かない」というような不快な勘違いを起こすことがな
くなる。
【００１２】
請求項２の発明は、異なる機能を有する電子機器が少なくとも２つ組み込まれた複合型
電子装置の所望の電子機器をリモコン装置により遠隔操作する遠隔操作システムであって
、前記複合型電子装置において現在動作モードになっている電子機器が操作対象であるこ
とを前記リモコン装置に知らせるための操作対象報知信号を出力する操作対象報知信号出
力手段と、前記出力された操作対象報知信号をＡＭ波に乗せて送信するＡＭ波送信手段と
を、前記複合型電子装置に設け、前記ＡＭ波送信手段からのＡＭ波を受信するＡＭ波受信
手段と、前記受信したＡＭ波から操作対象報知信号を取り出して当該操作対象報知信号に
対応する送信モードにリモコン自体を設定する送信モード設定手段とを、前記リモコン装
置に設けたことを特徴とする遠隔操作システムを提供する。
【００１３】
この構成において、複合型記録再生装置の現在の動作モードが例えばＶＣＲモードであ
れば、操作対象報知信号出力手段は、ＶＣＲ操作対象報知信号をＡＭ波送信手段に出力す
る。これにより、ＡＭ波送信手段は、ＶＣＲ操作対象報知信号をＡＭ波に乗せて送信する
。
【００１４】
一方、リモコン装置では、複合型記録再生装置のＡＭ波送信手段から送信されたＡＭ波
をＡＭ受信手段で受信し、送信モード設定手段は、前記受信したＡＭ波からＶＣＲ操作対
象報知信号を取り出して、そのＶＣＲ操作対象報知信号に対応する送信モードにリモコン
自体を設定する。
【００１５】
この構成によれば、複合型電子装置は、操作対象報知信号をＡＭ波に乗せてリモコン装
置に送信するので、リモコン装置が置かれている場所に関係なく、操作対象報知信号はリ
モコン装置に届き、これにより、リモコン装置の送信モードを複合型電子装置の動作モー
ドに対応したモードに常に切り換えることができて、リモコン装置は複合型電子装置に常
に連動し、ユーザが「リモコンが利かない」というような不快な勘違いを起こすことがな
くなる。
【００１６】
請求項３の発明では、請求項２の発明において、前記操作対象報知信号出力手段は、複
合型電子装置において現在どの電子機器が動作モードになっているかを検知する動作モー
ド電子機器検知手段により、前記動作モードになっていることを検知された電子機器が操
作対象であることを前記リモコン装置に知らせるための操作対象報知信号を出力するので
、前記操作対象報知信号出力手段は、動作モード電子機器検知手段により検知された電子
機器が操作対象であることを示す操作対象報知信号を出力することが可能になる。
【００１７】
請求項４の発明では、請求項２の発明において、前記送信モード設定手段は、受信した
ＡＭ波から操作対象報知信号を取り出して当該操作対象報知信号に対応する送信モードが
現在の送信モードと異なる場合に、前記現在の送信モードを前記当該操作対象報知信号に
対応する送信モードに切り換えることにより、前記当該操作対象報知信号に対応する送信
モードにリモコン自体を設定するので、リモコン装置の送信モードが例えばＶＣＲ送信モ
ードではなく、ＤＶＤ送信モードに設定されていると判定した場合に、ＤＶＤ送信モード
からＶＣＲ送信モードに切り換えることが可能になる。
【発明の効果】
【００１８】
以上のように本発明によれば、異なる機能を有する電子機器が少なくとも２つ組み込ま
れた複合型電子装置の所望の電子機器をリモコン装置により遠隔操作する遠隔操作システ
ムであって、前記複合型電子装置において現在どの電子機器が動作モードになっているか
を検知する動作モード電子機器検知手段と、前記動作モードになっていることを検知され
た電子機器が操作対象であることを前記リモコン装置に知らせるための操作対象報知信号
を出力する操作対象報知信号出力手段と、前記出力された操作対象報知信号をＡＭ波に乗
せて送信するＡＭ波送信手段とを、前記複合型電子装置に設け、前記ＡＭ波送信手段から
のＡＭ波を受信するＡＭ波受信手段と、前記受信したＡＭ波から操作対象報知信号を取り
出して当該操作対象報知信号に対応する送信モードが現在の送信モードと異なる場合に、
前記現在の送信モードを前記当該操作対象報知信号に対応する送信モードに切り換えるこ
とにより、前記当該操作対象報知信号に対応する送信モードにリモコン自体を設定する送
信モード設定手段とを、前記リモコン装置に設けたので、複合型電子装置は、操作対象報
知信号をＡＭ波に乗せてリモコン装置に送信でき、これにより、リモコン装置が置かれて
いる場所に関係なく、操作対象報知信号はリモコン装置に届き、リモコン装置の送信モー
ドを複合型電子装置の動作モードに対応したモードに常に切り換えることができるように
なって、リモコン装置は複合型電子装置に常に連動し、ユーザが「リモコンが利かない」
というような不快な勘違いを起こすことがなくなる。
【００１９】
また、本発明によれば、異なる機能を有する電子機器が少なくとも２つ組み込まれた複
合型電子装置の所望の電子機器をリモコン装置により遠隔操作する遠隔操作システムであ
って、前記複合型電子装置において現在動作モードになっている電子機器が操作対象であ
ることを前記リモコン装置に知らせるための操作対象報知信号を出力する操作対象報知信
号出力手段と、前記出力された操作対象報知信号をＡＭ波に乗せて送信するＡＭ波送信手
段とを、前記複合型電子装置に設け、前記ＡＭ波送信手段からのＡＭ波を受信するＡＭ波
受信手段と、前記受信したＡＭ波から操作対象報知信号を取り出して当該操作対象報知信
号に対応する送信モードにリモコン自体を設定する送信モード設定手段とを、前記リモコ
ン装置に設けたので、複合型電子装置は、操作対象報知信号をＡＭ波に乗せてリモコン装
置に送信することができ、これにより、リモコン装置が置かれている場所に関係なく、操
作対象報知信号はリモコン装置に届き、リモコン装置の送信モードを複合型電子装置の動
作モードに対応したモードに常に切り換えることができるようになって、リモコン装置は
複合型電子装置に常に連動し、ユーザが「リモコンが利かない」というような不快な勘違
いを起こすことがなくなる。
【発明を実施するための最良の形態】
【００２０】
以下、添付図面を参照しつつ、本発明の実施の形態について説明する。図１は本発明の
一実施形態に係る遠隔操作システムの構成を示すブロック図である。
【００２１】
この遠隔操作システムは、複合型電子装置としての複合型記録再生装置１０とリモコン
装置２０とから構成されている。複合型記録再生装置１０は、カセットテープに映像音声
信号を記録したり、カセットテープに記録された映像音声信号を再生したりするＶＣＲ（
ビデオ・カセット・レコーダ）装置１１と、ＤＶＤ（デジタル・バーサタイル・ディスク
）に記録されている映像音声信号を再生、またはＤＶＤに対して映像音声信号を記録／再
生するＤＶＤ装置１２と、この複合型記録再生装置１０の電源をオン／オフする電源スイ
ッチ１３と、この複合型記録再生装置１０のシステム全体を制御するマイコン（マイクロ
コンピュータ）１４と、各種操作キーが設けられた操作パネル１５と、リモコン信号を受
信して所定の電気信号に変換するリモコン受信部１６と、ＶＣＲモードのコード信号また
はＤＶＤモードのコード信号を赤外線信号に変換して赤外線信号のコード信号を送信する
コード信号送信部１７と、ＶＣＲモードやＤＶＤモードなどの設定モード等を記憶する不
揮発性メモリであるＥＥＰＲＯＭ１８とを備えている。モニタ装置１０は、テレビ受信機
などであり、ＶＣＲ装置１１やＤＶＤ装置１２などで再生された映像を表示したり、再生
された音声を出力したりするものである。
【００２２】
また、複合型記録再生装置１０のマイコン１４は、本実施形態の特徴として、現在どの
電子機器（ここではＶＣＲ装置１１またはＤＶＤ装置１２）が動作モードになっているか
を検知する動作モード電子機器検知手段１４１と、前記動作モードになっていることを検
知された電子機器が操作対象であることをリモコン装置２０に知らせるための操作対象報
知信号を出力する操作対象報知信号出力手段１４２と有している。また、この複合型記録
再生装置１０は、操作対象報知信号出力手段１４２から出力された操作対象報知信号をＡ
Ｍ波に乗せて（ＡＭ変調して）送信するＡＭ波送信手段としてのＡＭ波送信部１７を備え
ている。
【００２３】
リモコン装置２０は、リモコン装置全体を制御するマイコン２１と、複数の操作キーが
設けられたキー操作部２２と、複数の操作キーに割り当てられた所定のリモコン信号を赤
外線信号に変換して赤外線操作信号を送信するリモコン送信手段としてのリモコン送信部
２３と、複合型記録再生装置１０のＡＭ波送信部１７からのＡＭ波を受信するＡＭ波受信
手段としてのＡＭ波受信部２４とを備えている。
【００２４】
また、リモコン装置２０のマイコン２１は、ＡＭ波受信部２４で受信したＡＭ波から操
作対象報知信号を取り出して当該操作対象報知信号に対応する送信動作モードが現在の送
信モードと異なる場合に、前記現在の送信モードを前記当該操作対象報知信号に対応する
送信モードに切り換えることにより、前記当該操作対象報知信号に対応する送信モードに
リモコン自体を設定する送信モード設定手段２１１を有している。
【００２５】
ＡＭ波にする理由は、発信可能な距離が短く自由に設定できるためと、長波にすれば、
回りへの電気製品への影響も少ないと見込まれ、また、リモコン装置２０が箱や籠の中な
どにあっても受信可能なためである。また、ＡＭ波は赤外光でなく電波なので、指向性が
なく、リモコン装置２０がＡＭ波を受信可能な距離内にあれば、後で述べるように、リモ
コン装置２０は、ＡＭ波を受信することにより、送信モードを自動的に複合型記録再生装
置１０のモード（ＤＶＤモードまたはＶＣＲモード）に合わせ込むことができる。また、
ＡＭ波を用いることにより、設計時にリモコン装置２０の送信モード切り換えのためのリ
モコンコードを複合型記録再生装置１０において設定しなくても良いので、この分、全体
として設定箇所が減って設定も簡単になる。
【００２６】
図２は本実施形態の複合型記録再生装置とリモコン装置とが配置されている状態を示す
斜視図である。図２において、１００は複合型記録再生装置１０の筐体を示し、２００は
リモコン装置２０の筐体を示す。複合型記録再生装置１０の筐体１００の内部には、図１
で示した複合型記録再生装置１０の構成要素が収容されている。また、リモコン装置２０
の筐体２００の内部には、図１で示したリモコン装置２０の構成要素が収容されている。
複合型記録再生装置の筐体１００からは、内部のＡＭ波送信部１７からのＡＭ波が常に発
信されており、リモコン装置２０は、筐体２００内部のＡＭ波受信部２４でＡＭ波を受信
している。なお、リモコン装置２０ではＡＭ波を受信するための回路の消費電力は極僅か
であるので、図示しない内部電池の消耗は非常に少ない。
【００２７】
図３は本実施形態のＶＣＲ装置とＤＶＤ装置との複合型記録再生装置がリモコン装置の
送信モードを設定する処理を説明するためのフローチャートである。このフローチャート
および図１を参照してＶＣＲ装置とＤＶＤ装置との複合型記録再生装置がリモコン装置の
送信モードを設定する処理について説明する。
【００２８】
複合型記録再生装置１０の電源スイッチ１３がオンされると、マイコン１４の動作モー
ド電子機器検知手段１４１は、現在どの電子機器が動作モードになっているかを検知する
。即ち、動作モード電子機器検知手段１４１は、複合型記録再生装置１０の現在の動作モ
ードがＶＣＲモードであるか否かを判定する（ステップＳ１）。そして、ＶＣＲモードで
あれば、マイコン１４の操作対象報知信号出力手段１４２は、ＶＣＲ操作対象報知信号を
ＡＭ波送信部１７に出力する。これにより、ＡＭ波送信部１７はＶＣＲ操作対象報知信号
をＡＭ波に乗せて（ＡＭ変調して）送信する（ステップＳ３）。
【００２９】
一方、リモコン装置２０では、複合型記録再生装置１０のＡＭ波送信部１７から送信さ
れたＡＭ波をＡＭ受信部２４で受信し（ステップＳ４）、マイコン２１の送信モード設定
手段２１１は、前記受信したＡＭ波からＶＣＲ操作対象報知信号を取り出して（ステップ
Ｓ５）、そのＶＣＲ操作対象報知信号に対応する送信モード（ＶＣＲ送信モード）にリモ
コン自体を設定する。
【００３０】
即ち、送信モード設定手段２１１は、リモコン装置２０の送信モードがＶＣＲ送信モー
ドではなく、ＤＶＤ送信モードに設定されていると判定した場合には（ステップＳ６）、
ＤＶＤ送信モードからＶＣＲ送信モードに切り換える（ステップＳ７）。なお、リモコン
装置２０の送信モードがＶＣＲ送信モードに設定されている場合には、ＶＣＲ送信モード
に設定されたままである。ここで、キー操作部２２からのキー入力があった際は（ステッ
プＳ８）、リモコン送信部２３は、キー操作部２２からのキー操作信号を赤外線操作信号
に変換して、この赤外線操作信号をＶＣＲ送信モードで送信する（ステップＳ９）。
【００３１】
一方、複合型記録再生装置１０の現在の動作モードがＤＶＤモードであると判定された
場合は（ステップＳ１）、マイコン１４の操作対象報知信号出力手段１４２は、ＤＶＤ操
作対象報知信号をＡＭ波送信部１７に出力する（ステップＳ１０）。これにより、ＡＭ波
送信部１７はＤＶＤ操作対象報知信号をＡＭ波に乗せて（ＡＭ変調して）送信する（ステ
ップＳ１１）。
【００３２】
リモコン装置２０では、複合型記録再生装置１０のＡＭ波送信部１７から送信されたＡ
Ｍ波をＡＭ受信部２４で受信し（ステップＳ１２）、マイコン２１の送信モード設定手段
２１１は、前記受信したＡＭ波からＤＶＤ操作対象報知信号を取り出して（ステップＳ１
３）、そのＤＶＤ操作対象報知信号に対応する送信モード（ＤＶＤ送信モード）にリモコ
ン自体を設定する。
【００３３】
即ち、送信モード設定手段２１１は、リモコン装置２０の送信モードがＤＶＤ送信モー
ドではなく、ＶＣＲ送信モードに設定されていると判定した場合には（ステップＳ１４）
、ＶＣＲ送信モードからＤＶＤ送信モードに切り換える（ステップＳ１５）。なお、リモ
コン装置２０の送信モードがＤＶＤ送信モードに設定されている場合には、ＤＶＤ送信モ
ードに設定されたままである。ここで、キー操作部２２からのキー入力があった際は（ス
テップＳ１６）、リモコン送信部２３は、キー操作部２２からのキー操作信号を赤外線操
作信号に変換して、この赤外線操作信号をＤＶＤ送信モードで送信する（ステップＳ１７
）。
【００３４】
以上説明したように本実施形態によれば、複合型記録再生装置１０は、操作対象報知信
号をＡＭ波に乗せてリモコン装置２０に送信することにより、リモコン装置２０が置かれ
ている場所に関係なく、操作対象報知信号はリモコン装置２０に届き、リモコン装置２０
の送信モードを複合型記録再生装置１０の動作モードに対応したモードに常に切り換える
ことができるようになって、リモコン装置２０は複合型記録再生装置１０に常に連動し、
ユーザが「リモコンが利かない」というような不快な勘違いを起こすことがなくなる。
【００３５】
なお、上記実施形態では、ＶＣＲ装置とＤＶＤ装置とを備えた複合型記録再生装置につ
いて説明したが、ハードディスク装置とＤＶＤ装置とを備えた複合型記録再生装置、また
はＶＣＲ装置とハードディスク装置とを備えた複合型記録再生装置、あるいはＶＣＲ装置
とＤＶＤ装置とハードディスク装置とを備えた複合型記録再生装置であっても、同様な処
理により、リモコン装置を複合型記録再生装置の動作モードに対応したモードに常に切り
換えることができる。また、複合型電子装置は、複合型記録再生装置に限らず、異なる機
能を有する他の電子機器が少なくとも２つ組み込まれた装置であっても良い。
【図面の簡単な説明】
【００３６】
【図１】本発明の一実施形態に係る遠隔操作システムの構成を示すブロック図である。
【図２】前記実施形態の複合型記録再生装置とリモコン装置とが配置されている状態を示す斜視図である。
【図３】前記実施形態のＶＣＲ装置とＤＶＤ装置との複合型記録再生装置がリモコン装置の送信モードを設定する処理を説明するためのフローチャートである。
【符号の説明】
【００３７】
１０    複合型記録再生装置（複合型電子装置）
１１    ＶＣＲ装置（電子機器）
１２    ＤＶＤ装置（電子機器）
１７    ＡＭ波送信部（ＡＭ波送信手段）
２０    リモコン装置
２４    ＡＭ波受信部（ＡＭ波受信手段）
１４１    動作モード電子機器検知手段
１４２    操作対象報知信号出力手段
２１１    送信モード設定手段
【図１】
2007006347.tif 000003
【図２】
2007006347.tif 000004
【図３】
2007006347.tif 000005